(57)【要約】【課題】シール部材の挿通穴への操作軸の嵌入作業性を改善しながら防水性を保つ操作軸部の防水構造を提供する。【解決手段】開口穴４を設けた前面部２を有するケース１と、開口穴４を塞ぐ合成ゴムからなるシール部材６と、ケース１内に傾斜して配置され、先端側がシール部材６の挿通穴１１に嵌入される操作軸１０とを備え、挿通穴１１の中心軸Ｘ−Ｘに対して操作軸１０が傾斜している。【選択図】図２
2006310141.tif 000002
【特許請求の範囲】
【請求項１】
開口穴を設けた前面部を有するケースと、前記開口穴を塞ぐ柔軟性のシール部材と、前記ケース内に傾斜して配置され、先端側が前記シール部材の挿通穴に嵌入される操作軸とを備え、前記挿通穴の中心軸に対して前記操作軸が傾斜していることを特徴とする操作軸部の防水構造。
【請求項２】
前記操作軸は前記挿通穴に対して傾斜した状態で前記挿通穴の中心軸方向から前記挿通穴に嵌入されることを特徴とする請求項１に記載の操作軸部の防水構造。
【請求項３】
前記シール部材は、前記開口穴周縁に取り付けられる装着部と、前記挿通穴が設けられた中央部と、この中央部と前記装着部とを繋ぐ連結部を備えており、前記連結部が肉薄であることを特徴とする請求項１または請求項２に記載の操作軸部の防水構造。
【請求項４】
前記操作軸の反嵌入方向側であって、前記操作軸の傾斜方向に対応した前記中央部と前記装着部との間に断面略Ｖ字状あるいは略Ｕ字状の溝を設けたことを特徴とする請求項３に記載の操作軸部の防水構造。
【請求項５】
前記操作軸は前記ケース内に傾斜して配置された取付部材に装着されていることを特徴とする請求項１から請求項４の何れかに記載の操作軸部の防水構造。
【発明の詳細な説明】
【技術分野】
【０００１】
本発明は、ケース内に配置したスイッチなどの操作軸部の防水構造に関するものである。
【背景技術】
【０００２】
ケースの開口穴からケース外に突出した操作軸をケースの外部から操作することによってスイッチを作動させるようにしたスイッチ類は、操作軸周りの開口穴から水や埃がケース内に入ってスイッチの作動などに悪影響を及ぼすのを防ぐようになっている。この様に構成したものとして、例えば下記特許文献１があり、ケース５の貫通穴７にゴムからなるグロメット１０を装着し、回動軸９（操作軸）をグロメット１０に設けた丸孔１１から突出させている。このグロメット１０は予めケース５の貫通穴７周囲に装着しておき、スイッチ１が固定された回路基板３をケース５に装着する際に回動軸９が丸孔１１に挿通され、回動軸９周りの貫通穴７がグロメット１０によってシールされている。
【特許文献１】特開２００４−３９２７６号公報
【０００３】
前記特許文献１に記載のスイッチ１の軸心は、ケース５の前面部６と直交しているが、スイッチノブの回動または押圧操作をやり易くするために、スイッチノブを操作者側に対して傾けて取り付けたい場合がある。図３及び図４は、この様なスイッチ装置の一例を示すもので、図３はスイッチ装置の断面図であり、図４は操作軸をシール部材の挿通穴に嵌入する際の説明図である。
【０００４】
図３及び図４に於いて、１はケースであり、前面部２と周壁３を有している。前面部２は周壁３に対して傾斜させてあるとともに開口穴４が設けてあり、周壁３の内面には段部５が斜め（前面部２と平行）に設けてある。ケース１の開口穴４にはゴムからなるシール部材６が装着してある。スイッチ７は取付部材８にナット９を用いて固定してあり、スイッチ７の操作軸１０はシール部材６に設けてある挿通穴１１に嵌入させてケース１外に突出させ、先端側にスイッチノブ１２を装着してある。この様に、ケース１の前面部２を傾斜させ、この傾斜角度に合わせてスイッチ７をケース１に装着するようにしたことにより、スイッチノブ１２がスイッチノブ１２操作者側に傾き、操作をやり易くしている。
【０００５】
次に、シール部材６の挿通穴１１に操作軸１０の先端側が嵌入される過程を説明する。スイッチ７が固定された取付部材８をケース１の開口側（図４中、下側）から周壁３の内面に沿わせてケース１内に挿入する。すると、操作軸１０が傾いた状態で上側に移動し、シール部材６の挿通穴１１に操作軸１０が嵌入されて取付部材８が段部５に当接することによって、スイッチ７がケース１に装着された状態となる。
【発明の開示】
【発明が解決しようとする課題】
【０００６】
しかしながら、取付部材８が段部５に当接した状態、つまりスイッチ７がケース１に装着された状態で操作軸１０とシール部材６の挿通穴１１との位置が合うようになっているため、操作軸１０が挿通穴１１に入る前は図４に示す様に挿通穴１１に対して操作軸１０の先端が位置ズレしている。従って、操作軸１０を挿通穴１１に嵌入させる際、傾いた側の操作軸１０先端の角部１３が挿通穴１１周辺のシール部材６の角部１３Ａに引っ掛かって嵌入作業性が悪い。また、シール部材６が傾いた状態で前面部２に装着されているために、操作軸１０の嵌入方向に対してシール部材６の挿通穴１１が図４に記載した様に楕円状となっており、嵌入作業性をより悪くしている。
【０００７】
本発明はこの様な点に鑑みなされたもので、シール部材の挿通穴への操作軸の嵌入作業性を改善しながら防水性を保つ操作軸部の防水構造を提供することを目的とする。
【課題を解決するための手段】
【０００８】
本発明は前記目的を達成するため、開口穴を設けた前面部を有するケースと、前記開口穴を塞ぐ柔軟性のシール部材と、前記ケース内に傾斜して配置され、先端側が前記シール部材の挿通穴に嵌入される操作軸とを備え、前記挿通穴の中心軸に対して前記操作軸が傾斜しているものである。
【０００９】
また、前記操作軸は前記挿通穴に対して傾斜した状態で前記挿通穴の中心軸方向から前記挿通穴に嵌入されるものである。
【００１０】
また、前記シール部材は、前記開口穴周縁に取り付けられる装着部と、前記挿通穴が設けられた中央部と、この中央部と前記装着部とを繋ぐ連結部を備えており、前記連結部が肉薄である。
【００１１】
また、前記操作軸の反嵌入方向側であって、前記操作軸の傾斜方向に対応した前記中央部と前記装着部との間に断面略Ｖ字状あるいは略Ｕ字状の溝を設けたものである。
【００１２】
また、前記操作軸は前記ケース内に傾斜して配置された取付部材に装着されているものである。
【発明の効果】
【００１３】
本発明によれば、シール部材の挿通穴への操作軸の嵌入作業性を改善しながら防水性を保つ操作軸部の防水構造を提供することができる。
【発明を実施するための最良の形態】
【００１４】
本発明の操作軸部の防水構造を適用した回転式のスイッチ装置を実施形態として説明する。図１はスイッチ装置の断面図であり、図２は操作軸をシール部材の挿通穴に嵌入する際の説明図である。なお、本実施形態は従来例（図３及び図４）と基本的な構成が同じため、同一または相当箇所には同一符号を付して説明する。
【００１５】
スイッチ装置は、開口穴４を設けた前面部２を有するケース１と、開口穴４を塞ぐ柔軟性のシール部材６と、取付部材８にナット９を用いて固定されケース１内に配置されるスイッチ７と、シール部材６の挿通穴１１を嵌入してケース１外に突出したスイッチ７の操作軸１０に装着されたスイッチノブ１２を備えている。そして、スイッチノブ１２を回すことによって操作軸１０が回転してスイッチ７が回動される。
【００１６】
合成樹脂からなるケース１は前面部２と周壁３を有しており、前面部２は周壁３に対して傾斜させてある。また、周壁３の内面には段部５が斜め（前面部２と平行）に設けてある。従って、スイッチ７および操作軸１０はケース１内に傾斜して配置される。この様に、ケース１の前面部２を傾斜させ、この傾斜角度に合わせてスイッチ７をケース１に装着するようにしたことにより、スイッチノブ１２がスイッチノブ１２操作者側に傾き、スイッチノブ１２の回転操作をやりやすくするとともに、前面部２上に表示文字があった場合、読みやすくしている。
【００１７】
シール部材６は、柔軟性を有する例えば黒色の合成ゴムからなり、開口穴４周縁に取り付けられる装着部１４と、挿通穴１１が設けられた中央部１５と、この中央部１５と装着部１４とを繋ぐ連結部１６を有し、連結部１６は肉薄としてある。また、挿通穴１１の中心軸Ｘ−Ｘは図２に示す様にケース１の周壁３方向と一致している。また、シール部材６のケース１外側（操作軸１０の反嵌入方向側）の中央部１５と装着部１４との間には断面略Ｖ字状の溝１７が全周に渡って設けてある。
【００１８】
次に、シール部材６の挿通穴１１に操作軸１０の先端側が嵌入される過程を説明する。スイッチ７が固定された取付部材８をケース１の開口側（図２中、下側）から周壁３の内面に沿わせてケース１内に挿入する。すると、操作軸１０が傾いた状態で上側に移動する。ここで、取付部材８が段部５に当接した状態、つまりスイッチ７がケース１内に装着（配置）された状態で操作軸１０とシール部材６の挿通穴１１との位置が合うようになっているため、操作軸１０が挿通穴１１に入る前は、図２に示す様に挿通穴１１の中心に対して操作軸１０の先端が図２中、左側（操作軸１０の傾斜方向）に位置ズレしている。
【００１９】
従って、操作軸１０の先端側を挿通穴１１に嵌入させる際、傾いた側の操作軸１０先端の角部１３が挿通穴１１周辺の中央部１５の角部１３Ａに当たってしまうが、前述した様に挿通穴１１の中心軸Ｘ−Ｘが操作軸１０の移動方向に沿って設けてあるため、図２に記載した様に円形の挿通穴１１に楕円形の操作軸１０（操作軸１０が傾いているために、操作軸１０の先端を挿通穴１１の中心軸Ｘ−Ｘ方向から見た際楕円形となる）が嵌入される状態となり、挿通穴１１の入口の穴径が従来に比べて少し大きくなり、嵌入作業性が良くなる。
【００２０】
また、中央部１５と装着部１４とを繋ぐ連結部１６の肉厚を薄くしてあるために、操作軸１０先端の角部１３が挿通穴１１周辺のシール部材６の角部１３Ａに当たった際、連結部１６が容易に変形して中央部１５が操作軸１０に沿いやすくなる（操作軸１０が挿通穴１１に入りやすくなる）。また、操作軸１０が傾斜している側のシール部材６の中央部１５と装着部１４との間に断面略Ｖ字状の溝１７が設けてあるため、操作軸１０先端の角部１３が挿通穴１１周辺のシール部材６の角部１３Ａに当たって中央部１５が上側に押し上げ状態となった際、中央部１５の上側が図２中、左側に撓み中央部１５が操作軸１０に沿いやすくなって、操作軸１０が嵌入されやすい。
【００２１】
また、ケース１内に傾斜して配置できるように構成した取付部材８にスイッチ７を固定して、取付部材８をケース１の内壁に沿わせながら挿入する様にしたことにより、簡単な方法でケース１内で操作軸１０を傾斜させることができるとともに、シール部材６の挿通穴１１位置に対して操作軸１０先端の位置が決まりやすい（一定となりやすい）。
【００２２】
なお、本実施形態に於いては回転式のスイッチ装置を実施形態として説明したが、例えば、車両用の計器に用いられ表示切換用のスイッチをケースの外部から押圧操作するスイッチ装置であっても良く、あるいは操作軸を備えていれば、スイッチでなくとも良い。また、中央部１５と装着部１４との間には断面略Ｖ字状の溝を全周に渡って設けたが、少なくとも、操作軸１０の傾斜方向に対応した側に略Ｖ字状あるいは略Ｕ字状の溝が設けてあれば良い。
【図面の簡単な説明】
【００２３】
【図１】本発明の操作軸部の防水構造を適用したスイッチ装置の断面図。
【図２】同操作軸をシール部材の挿通穴に嵌入する際の説明図。
【図３】従来例を示すスイッチ装置の断面図。
【図４】同操作軸をシール部材の挿通穴に嵌入する際の説明図。
【符号の説明】
【００２４】
１  ケース
２  前面部
４  開口穴
６  シール部材
７  スイッチ
１０  操作軸
１１  挿通穴
Ｘ−Ｘ  中心軸
１４  装着部
１５  中央部
１６  連結部
１７  溝
【図１】
2006310141.tif 000003
【図２】
2006310141.tif 000004
【図３】
2006310141.tif 000005
【図４】
2006310141.tif 000006